(57)【要約】【課題】ロック状態でのステアリングへの係止寸法を確実に確保することができるステアリングロックの提供を目的とする【解決手段】ステアリングコラム１に固定されるハウジング２と、  ハウジング２内に収容されてステアリングコラム１に開設されたアクセス開口３からステアリングコラム１に進入し、施解錠操作部４への操作によりステアリングシャフト５に係脱するロック部材６とを有し、  前記ロック部材６が適宜の付勢手段７によりステアリングシャフト５との係止位置側に付勢されるとともに、  該ロック部材６には、ステアリングコラム１に当接して該ロック部材６の係止位置側のストローク終端を決定するストッパ突部８が設けられる。【選択図】  図４
2011213248.tif 000002
【特許請求の範囲】
【請求項１】
ステアリングコラムに固定されるハウジングと、
ハウジング内に収容されてステアリングコラムに開設されたアクセス開口からステアリングコラムに進入し、施解錠操作部への操作によりステアリングシャフトに係脱するロック部材とを有し、
前記ロック部材が適宜の付勢手段によりステアリングシャフトとの係止位置側に付勢されるとともに、
該ロック部材には、ステアリングコラムに当接して該ロック部材の係止位置側のストローク終端を決定するストッパ突部が設けられるステアリングロック装置。
【請求項２】
前記ロック部材は、アクセス開口側に開放される有底、かつ、成形時における非アンダーカット開口部として形成されるロック収容開口に収容される請求項１記載のステアリングロック装置。
【請求項３】
前記ロック部材は、施解錠操作により回転操作されるカムシャフトにカム受け面が圧接する従動カムとしてステアリングシャフトとの係止、係止解除位置間で駆動されるとともに、
カムシャフトに干渉してステアリングコラムへの取付け前のロック収容開口からの脱離が規制される請求項２記載のステアリングロック装置。
【請求項４】
前記施解錠操作部は、解錠キーにより回転操作され、解錠回転操作によりロック部材をステアリングシャフトとの係止解除位置に駆動するシリンダ錠と、
前記シリンダ錠によるロック部材の係止解除位置への移動に伴って前記ロック部材に形成されるレバー係止部に弾発的に係止して該ロック部材を係止解除位置に保持するとともに、解錠キーのシリンダ錠からの抜去に伴ってレバー係止部との係止を解除してロック部材をステアリングシャフトとの係止位置に移動させるチェックレバーとを有する請求項１、２または３記載のステアリングロック装置。
【請求項５】
ハウジング内にロック部材を収容したステアリングロック装置をステアリングコラムに固定し、ステアリングコラムに開設されたアクセス開口から進入するロック部材をステアリングコラム内のステアリングシャフトに係脱させてステアリングシャフトをロック、アンロックするステアリングロック部の構造であって、
前記ロック部材はステアリングシャフトとの係止位置方向に付勢されるとともに、
係止位置側のストローク終端位置が、ステアリングコラムとの当接により決定されるステアリングロック部の構造。
【発明の詳細な説明】
【技術分野】
【０００１】
本発明は、ステアリングロック装置に関するものである。
【背景技術】
【０００２】
ロック部材をステアリングシャフトに係合させることによりステアリング操作を規制するステアリングロック装置としては、特許文献１に記載のものが知られている。この従来例において、ロックシャフト（ロック部材）はハウジングに形成された摺動孔内に収容され、カムにより先端部がステアリングシャフトに係合するロック位置と、係合解除するアンロック位置との間で駆動される。
【先行技術文献】
【特許文献】
【０００３】
【特許文献１】特開平２００３-２１６８号公報
【発明の概要】
【発明が解決しようとする課題】
【０００４】
しかし、上述した従来例において、ロック部材のロック位置におけるステアリングコラムへの突出寸法は、カムの位置、すなわち、ステアリングロック装置側の寸法によって完全に決定されるために、例えば、ステアリングロック装置の取付け位置に誤差が生じると、突出寸法が不足する結果、ステアリングとのロック状における係止寸法が不足し、ロック強度が低下する可能性があるという問題がある。
【０００５】
本発明は、以上の欠点を解消すべくなされたものであって、ロック状態でのステアリングへの係止寸法を確実に確保することができるステアリングロック装置、およびステアリングロック部の構造の提供を目的とする。
【課題を解決するための手段】
【０００６】
ステアリングロック装置は、ステアリングコラム１に固定されるハウジング２と、ハウジング２内に収容されてステアリングコラム１に開設されたアクセス開口３からステアリングコラム１に進入し、施解錠操作部４への操作によりステアリングシャフト５に係脱するロック部材６とを有して構成される。
【０００７】
ロック部材６は、適宜の付勢手段７によりステアリングシャフト５との係止位置（ロック位置）側に付勢されており、ロック位置側のストローク終端は、ロック部材６に形成されるストッパ突部８をステアリングコラム１に当接させて決定される。
【０００８】
したがって本発明において、ステアリングロック装置のステアリングコラム１への取付け位置に誤差が発生しても、ロック部材６はストッパ突部８がステアリングコラム１に当接するまで移動するために、ステアリングシャフト５との係止寸法が確実に確保され、ロック強度が確保される。
【０００９】
また、ロック部材６の突出方向のストローク規制をステアリングコラム１により行うことによって、ロック部材６を収容するためにハウジング２に形成されるロック収容開口９のアクセス開口３側開口端近傍にロック部材６の抜け止め部を設定する必要がなくなる。
【００１０】
抜け止め部をロック収容開口９のアクセス開口３が開口端に設ける場合、ハウジング２を射出成形により形成するに際し、ロック収容開口９を、アクセス開口3側に開放された開口部として形成しようとすると、上記抜け止め部がアンダーカットとなるために、反対方向に開放した開口部として形成する必要がある。このような構造においては、ロック収容開口９の開放部、すなわち、アクセス開口３とは反対側からロック部材６を挿入した後、付勢手段７を挿入し、さらに、開放部を適宜の閉塞部材により閉塞する必要が生じ、閉塞部材の取付け作業が必要となる上に、閉塞部材による閉塞部は、ステアリングロック装置をステアリングコラム１に取付けた状態で外部からアクセス可能であるために、不正破錠操作を受けやすいという欠点につながる。
【００１１】
これに対し、ロック収容開口９のアクセス開口３側開口端近傍にロック部材６の抜け止め部を設定する必要のない本発明において、ロック収容開口９を、アクセス開口３側に抜き方向が設定された金型、あるいはスライド型による成形が可能な当該抜き方向にアンダーカットとならない非アンダーカット開口部として形成することが可能になり、結果、アクセス開口３に対する反対端を成形時における閉塞壁として形成することが可能になり、不正なアクセス機会を与えないようにすることができる。
【００１２】
さらに、前記ロック部材６は、施解錠操作により回転操作されるカムシャフト１０にカム受け面１１が圧接する従動カムとしてステアリングシャフト５との係止、係止解除位置間で駆動されるとともに、
カムシャフト１０に干渉してステアリングコラム１への取付け前のロック収容開口９からの脱離が規制されるステアリングロック装置を構成すると、ステアリングロック装置にロック部材６の脱落防止手段を設ける必要がなくなる。
【００１３】
また、ロック部材６のステアリングシャフト５との係止側ストローク終端が強度の高いステアリングコラム１との当接により決定されることによって、ロック部材６の係止側ストローク終端への移動が付勢手段７等の復元力を利用して行われても、例えば、ロック部材６を操作するカム等に衝接することが防止できる。
【００１４】
この結果、前記施解錠操作部４は、解錠キー１２により回転操作され、解錠回転操作によりロック部材６をステアリングシャフト５との係止解除位置に駆動するシリンダ錠１３と、
前記シリンダ錠１３によるロック部材６の係止解除位置への移動に伴って前記ロック部材６に形成されるレバー係止部１４に弾発的に係止して該ロック部材６を係止解除位置に保持するとともに、解錠キー１２のシリンダ錠１３からの抜去に伴ってレバー係止部１４との係止を解除してロック部材６をステアリングシャフト５との係止位置に移動させるチェックレバー１５とを有するステアリングロック装置のように、解錠キー１２の抜去をロック部材６によるロック動作の条件とした場合でもカム等への衝接による破損を原因とした不用意なステアリングのロック動作の排除を確実にすることができる。
【発明の効果】
【００１５】
本発明によれば、ロック状態でのステアリングへの係止寸法を確実に確保することができる。
【図面の簡単な説明】
【００１６】
【図１】本発明を示す断面図で、（ａ）は解錠キーを挿入しない状態を示す図、（ｂ）は解錠キーを挿入した状態を示す図である。
【図２】図１（ｂ）の２Ａ-２Ａ線断面図である。
【図３】ステアリングコラムへの装着前の状態を示す図で、（ａ）は断面図、（ｂ）は（ａ）の３Ｂ方向矢視図、（ｃ）は（ｂ）の要部拡大図である。
【図４】ステアリングコラムへの装着状態を示す図で、（ａ）はロック状態を示す図、（ｂ）はアンロック状態への移行途中を示す図、（ｃ）はアンロック状態を示す図である。
【発明を実施するための形態】
【００１７】
図１以下に示すように、ステアリングロック装置は、後端にイグニッションスイッチ１６が固定されるハウジング２内に、施解錠操作部４を構成するシリンダ錠１３、およびチェックレバー１５、さらには、カムシャフト１０、ロック部材６を収容して形成され、車両側のステアリングコラム１に装着される。
【００１８】
ステアリングコラム１には、ロック用凹部５ａを備えたステアリングシャフト５が収容されており、ステアリングコラム１のロック用凹部５ａと正対可能位置にアクセス開口３が開設される。
【００１９】
図２に示すように、ステアリングロック装置のステアリングコラム１への固定は、ハウジング２から突設される位置決め突部２ａをアクセス開口３に嵌合させた状態で、ハウジング２にフィクサフレーム１７を連結することにより行われる。フィクサフレーム１７の連結はボルト１８を使用して行われる。
【００２０】
上記シリンダ錠１３は、ハウジング２内に固定されるシリンダケース１３ａ内にプラグ１３ｂを挿入して形成される。プラグ１３ｂには複数のタンブラ１３ｃが装着されており、真正な解錠キー１２を挿入することによって回転操作が可能になる。このプラグ１３ｂの前端部にはキー検知部材１９が回転軸に対して直交方向に進退自在に装着される。
【００２１】
カムシャフト１０は、プラグ１３ｂの後端に一直線状に連結され、プラグ１３ｂの回転とともに回転する。このカムシャフト１０の後端はイグニッションスイッチ１６の入力部に連結され、プラグ１３ｂへの回転操作によりイグニッションの操作が行われる。
【００２２】
ロック部材６は中央部に上記カムシャフト１０のカム部１０ａが挿通するカム開口２０を備えた板状部材であり、ハウジング２に開設されたロック収容開口９に挿入される。図３に示すように、ロック収容開口９はカムシャフト１０の回転軸に対して直交方向に延びて一端が上記位置決め突部２ａの中央部に開放された開口部として形成され、ハウジングが亜鉛合金ダイカストにより製せられる本実施の形態において、ロック収容開口９は、有底で、金型抜き方向に対する非アンダーカット開口部として形成される。
【００２３】
以上のように形成されるロック収容開口９内に収容されるロック部材６は、ロック収容開口９内をスライドして、図４（ａ）に示すように、一端がステアリングコラム１内に進入してステアリングシャフト５のロック用凹部５ａに係止し、ステアリングをロックするロック位置と、図４（ｃ）に示すように、ロック用凹部５ａとの係止が解除されるアンロック位置との間を移動する。ロック部材６には、圧縮スプリング（付勢手段７）によってロック位置側への付勢力が付与される。
【００２４】
また、ロック部材６には、ステアリングシャフト５の長手方向に対応する一側壁面にストッパ突部８が設けられ、ロック収容開口９には、ストッパ突部８を収容するストッパ収容部９ａが延設される。図３（ｂ）に示すように、ストッパ突部８は、先端が位置決め突部２ａの周縁を超えて外部に飛び出す突出長を有しており、これに対応してストッパ収容部９ａは、位置決め突部２ａの周縁とロック収容開口９とにより形成される矩形枠の一辺部を横断するように形成される。
【００２５】
さらに、上記ロック部材６には、ストッパ突部８の形成壁に対する対向壁面にレバー係止部１４が形成され、チェックレバー１５が係脱する。
【００２６】
図１に示すように、チェックレバー１５は、一端に上記プラグ１３ｂのキー検知部材１９に対応するキー検知突部１５ａを、他端にロック部材６のレバー係止部１４の形成壁面に対応するロック規制部１５ｂを備えた板状部材であり、中間部に形成された可動支点２１周りに揺動自在に支承される。可動支点２１は図１（ａ）において左右方向に移動自在であり、さらにチェックレバー１５には、圧縮スプリング２２によりキー検知突部１５ａをキー検知部材１９に押し付ける方向の付勢力が与えられる。
【００２７】
図１（ａ）に示すように、プラグ１３ｂに解錠キー１２が挿入されない状態において、プラグ１３ｂのキー検知部材１９は付勢力によりプラグ１３ｂ内方に押し付けられて埋没しており、チェックレバー１５全体には、図１（ａ）において時計回りの回転力が付与される。この後、図１（ｂ）に示すように、プラグ１３ｂに解錠キー１２を挿入すると、キー検知部材１９は解錠キー１２により排斥されてプラグ１３ｂ外方に向けて移動する。キー検知部材１９の移動により、チェックレバー１５には反時計回りの回転力が付与されるが、ロック規制部１５ｂの移動がロック部材６により阻止されているために、可動支点２１が図１（ｂ）において右側に移動することにより変位量を吸収し、以後、圧縮スプリング２２の付勢力は、ストッパ突部８をロック部材６の側壁に押し付ける力として作用する（図３参照）。
【００２８】
この状態からロック部材６がアンロック位置に移動すると、チェックレバー１５のロック規制部１５ｂとロック部材６のレバー係止部１４とは正対し、チェックレバー１５は弾発的にレバー係止部に係合する（図４（ｃ）参照）。
【００２９】
図３に示すように、カムシャフト１０のカム部１０ａには、直線状の第１カム面１０ｂと、カムシャフト１０の回転中心を中心とする円弧面から形成される第２カム面１０ｃとが形成されるとともに、ロック部材６のカム開口２０には、プラグ１３ｂが施錠状態に対応する初期回転位置にあるときにカム部１０ａの第１カム面１０ｂに対応するカム受け面１１が形成される。
【００３０】
図３に示すステアリングロック装置をステアリングコラム１に装着しない状態において、ロック部材６は、カム受け面１１をカムシャフト１０の第１カム面１０ｂに当接させた状態でロック収容開口９からの脱離が規制されており、ストッパ突部８は、ハウジング２のコラム当接部２ｂの表面からやや突出（δ）している。
【００３１】
この状態からステアリングロック装置をステアリングコラム１に装着すると、図４（ａ）に示すように、ストッパ突部８がステアリングコラム１に干渉することから、ロック部材６はやや原位置から押上げられ、第１カム面１０ｂとカム受け面１１との間に隙間（ｄ）が発生する。このように、ステアリングコラム１への装着によって、ロック部材６のハウジング２からの突出方向のストローク、すなわち、ロック位置におけるストローク終端位置が決定される。
【００３２】
この状態からプラグ１３ｂを真正な解錠キー１２により操作して解錠方向に回転操作すると、図４（ｂ）に示すように、カム受け面１１が第１カム面１０ｂに押上げられ、ロック部材６はアンロック位置方向に移動する。さらに、プラグ１３ｂを回転させてロック部材６がアンロック位置に達すると、上述したチェックレバー１５がレバー係止部１４に係止し、以後、ロック部材６の移動が規制される。
【００３３】
ロック部材６がアンロック位置に移動してロック部材６の動作が拘束された状態でカム受け面１１には第２カム面１０ｃが当接し、さらにプラグ１３ｂを、例えば”START”ポジション等に回転させることができる。また、図４（ｃ）に示すように、プラグ１３ｂをロック位置に復帰させた状態であっても、解錠キー１２が抜去されるまではロック部材６はアンロック位置に保持される。解錠キー１２の抜去により、ロック部材６は圧縮スプリング７の復元力によりストッパ突部８がステアリングコラム１に衝接するまで、移動してロック位置に移動するが、このとき、図４（ａ）に示すように、第１カム面１０ｂとカム受け面１１との間に設定される間隙（ｄ）の存在により双方が衝接することがなく、衝接に伴う表層面の剥離等が完全に防がれる。
【符号の説明】
【００３４】
１        ステアリングコラム
２        ハウジング
３        アクセス開口
４        施解錠操作部
５        ステアリングシャフト
６        ロック部材
７        付勢手段
８        ストッパ突部
９        ロック収容開口
１０      カムシャフト
１１      カム受け面
１２      解錠キー
１３      シリンダ錠
１４      レバー係止部
１５      チェックレバー
【図１】
2011213248.tif 000003
【図２】
2011213248.tif 000004
【図３】
2011213248.tif 000005
【図４】
2011213248.tif 000006